(57)【要約】      （修正有）【課題】ゴルフスイングは、背骨を軸として回転するのが基本と云われているが、多くの一般ゴルファーは、基本から逸脱したスイングになっているにもかかわらず、その事実を正確に認識出来ていない。基本に則ったスイングを実現する為に、自分のスイングの状態をリアルタイムに且つ定量的に把握でき、さらに安価で簡便に使用出来る練習器具を提供する。【解決手段】練習器具は、ゴルファーの背骨に添って装着したレーザー発生器１−２から頭上方向にレーザー光を出射させ、天井などに出現するレーザー反射光点４−３の動きを、ゴルファー自身が床面に設置した鏡２−１で見ながら、スイングの修正を行う。【選択図】図４
2019187730.tif 000002
【特許請求の範囲】
【請求項１】
ゴルフのプレーヤーが背骨を軸としてスイングしているか否かを確認するゴルフスイング練習器具であって、プレーヤーの背中に背骨に添って装着されるレーザー発生器から頭上方向にレーザー光が出射され、照射先に出現するレーザー反射光点のスイングに伴う前後左右の動きを、床に設置した鏡で見ることを特徴とするゴルフスイング練習器具。
【請求項２】
請求項１に記載したゴルフスイング練習器具で、レーザー発生器を背骨に添って装着する為に、Y字状、X字状或いはH字状の身体装着バンドを使用し、装着バンドの各端部をズボンの前後のウエスト上縁に留めることを特徴とするゴルフスイング練習器具。
【請求項３】
請求項１に記載したゴルフスイング練習器具で、身体装着の為に肩ひも付き、或いは肩ひもなしの帯を使用し、帯の中央部に帯と直角を成すようにレーザー発生器を固定した上で、胸部のまわりに巻きつけることでレーザー光が背骨に添って頭上方向に出射されることを特徴とするゴルフスイング練習器具。
【請求項４】
背中を軸とした回転運動を含む各種スポーツの練習器具で、請求項１、２、３及び４に記載した形態を有することを特徴とするスポーツ練習器具
【発明の詳細な説明】
【技術分野】
【０００１】
本発明は、ゴルフのプレーヤー（以下、ゴルファーと呼ぶ）が背骨を軸としてスイングしているか否かを、ゴルファー自身が簡便に確認する為の練習器具を提供するもので、且つ、ボールを打つ動作を有する各種スポーツの打球練習にも応用できる練習器具を提供するものである。
【背景技術】
【０００２】
ゴルファーのスイングには、実際にボールを打つことのみならず素振りも含まれるが、ボールを安定して精度よく打つ為には、上半身を、背骨を軸として回転させることが基本と云われている。  
【０００３】
一般ゴルファーは、スイング動作の開始とともに背骨が左右前後に揺動したり、或いは不均一に捻じれ、構えた時点の背骨の位置（以下、「背骨の基本位置」と呼ぶ）を軸としたスイングが実行出来ていないことが多い。  にもかかわらず、ゴルファー本人は基本通りのスイングをしているものと思い込む傾向が強い。その大きな原因は、背骨と頭蓋骨の位置関係、具体的には外部情報を感知する眼が、背骨よりかなり前に張り出す場所に位置しているにもかかわらず、スイング中に眼の位置が移動しなければ、背骨も移動しておらず、従って、上半身が背骨の基本位置を軸として回転しているものと脳が判断してしまうことにある。
【０００４】
脳には神経経路を通じて骨格や筋肉などの身体各部の状況変化が刻々と入力されるが、脳内の情報処理において視覚情報が圧倒的な影響力を持つ為、脳が身体各部の状態を正しく認識することが難しく、横から見ている第３者（例えばコーチ）に指摘されて初めて気がつく場合が多い。
【０００５】
その為、外部から背骨の動作情報を追加的に脳に入力し、第３者に頼らずゴルファー本人がスイング軸のズレを認識しやすくする為の器具が考案されている。  特許文献１では、棒状の器具を背骨に沿って配設し、上半身の不適切な回転に伴う背骨の揺動や捻じれが生じた場合、ゴルファーの背中に刺激（具体的には肌への圧力）を与えるものである。  ゴルファーはこの刺激を感じることで、自分のスイングが背骨の基本位置を軸として回転しているか否かを意識しながら練習出来ると云うものである。  然しながら、該考案の器具は、腰骨と、腰骨より上の背骨の相対的位置関係の変位を刺激として感じさせるものの為、多くのゴルファーの悩みとなっている、股関節から上半身の全体が横方向に平行移動するような動き（以下、一般的業界用語であるスウェーと呼ぶ）、或いは身体の全体が前後或いは横方向に傾く動きに対して的確な刺激が発生しないと云う基本的な問題がある。  
【０００６】
また、ゴルファーに背骨の基本位置を軸としたスイングを意識させる考案として、特許文献２も開示されている。  該考案は、ゴルファーの後頭部中央、背骨及び尾てい骨に当接する棒状の縦材と肩甲骨近傍の位置で直角に交叉する横材を複数のベルトで肩や胴体に巻きつけ背中に装着するものである。  ゴルファーが、該器具を取り付けスイングした場合、特許文献１と同様、器具の存在を意識することになり、背骨の基本位置を軸としたスイングを自然に会得出来るとしている。  また、縦材と横材が剛性で、且つ位置がずれないように背中に固定される為、身体の不適切な動きで縦材或いは横材に圧力が加わる現象が生じるので、その圧力をセンサーで検知しゴルファーに知らしめる形態も可能であるとしている。然しながら、該考案の器具は、装着した瞬間にゴルファーに背骨の基本位置を軸とする意識を持たせることは出来るとしても、スイング開始後のスウェーの発生や、特に前後左右への背骨全体の傾斜角度の変化や、その程度を定量的にゴルファーにフィードバック出来ないことは、特許文献１と同様である。
【０００７】
特許文献３においては、スイングにおけるゴルファーの腰椎と胸椎の動きに着目し、腰椎と胸椎に沿って導電性の管とその管に差し込まれる棒（但し導電部分は中空に保持される形態となっている）をそれぞれ固定し、ゴルファーが不適切なスイングをした場合、言い換えれば腰椎と胸椎の直線的アライメントが崩れるようなスイングの場合、導電性の管と棒が接触してアラーム（音又は振動、若しくは光）が発生するものである。  ゴルファーは、アラームによって背骨がスイング軸として正しい位置にあるか否か判定でき、スイングの矯正に効果があるとしている。
然しながら、該考案のアラームを必要にして充分な感度で正しく作動させる為には、器材の組立精度や背中への装着方法の調整が非常に重要であるが、ゴルファーの身体的特徴が千差万別であることを考えると、実際には極めて困難な作業と云わざるを得ない。鋭敏に感知し過ぎれば、過剰なアラームが発生することになりかねず、逆に、感度が低すぎれば、スイングの矯正効果がないことになる。
また、スイング練習において、腰椎と胸椎のアライメントの乱れで何度もアラームが発生した際に、アラームの原因となる乱れに一定した傾向があるか否かを知ることはゴルファーにとって極めて重要であるが、該考案では、アラームが発生するか否かのみであり、原因の傾向を知ることが出来ない問題がある。加えて、特許文献３の考案も、特許文献１及び２で述べたような問題点を避けることが出来ない。
【０００８】
その他、非特許文献１や非特許文献２のように可搬性に乏しい大掛かりな装置も考案されているが、実用性の観点で多くの問題がある。  
【先行技術文献】
【特許文献】
【０００９】
【特許文献１】特開平０７−２８４５４８
【特許文献２】特開  ２００４−２２９７５４
【特許文献３】特許  ４９１００９３
【非特許文献】
【００１０】
【非特許文献１】実開平２−３９７７６号
【非特許文献２】実開平３−１５５７６号
【発明の概要】
【発明が解決しようとする課題】
【００１１】
ゴルフのスイング練習は、日常的に継続することが重要であり、多くの一般ゴルファーが室内で容易に理想的なスイングを会得出来るような練習器具を提供する。  また、基本から外れたスイングをした際に、先行技術のような背中への刺激やズレ感知アラームなどでなく、左右前後の全てのズレの状態をゴルファーが直感的且つ定量的に認識できるもので、複雑な電子基板や装置を必要としない練習器具を提供する。
【課題を解決するための手段】
【００１２】
背骨は、頭蓋骨の下から腰までの連続した骨格で脊柱とも呼ばれている。脊柱は
上部から頸椎、胸椎、腰椎、仙骨、尾骨の順番で構成されているが、脊柱全体を身体の側面から見ると、図６に示すように緩やかなS字形を描いている。  「背骨を軸」としたスイングを実現する為に、S字形を描く脊柱のうち、頸椎と腰椎それぞれの中間部位を結んだ線に平行する胸椎の中間部近傍（１２個の椎骨で構成される脊柱の凡そ５番椎骨から８番椎骨に至る辺り）を軸とすることが合理的であり、この部分の背中にレーザー発生器を装着し、レーザー光を頭上方向に出射させる。
【００１３】
本発明の練習器具は、一般住居程度の高さの水平若しくは勾配天井を持つ室内や屋根付き施設の中で使用することを前提とし、レーザー光が照射された天井構造物上の反射光点（以下  レーザー反射光点と呼ぶ）の動きを、床面に置いた鏡でゴルファーが自分の目で視認出来るようにする。  またレーザー発生器と天井までの距離や、個々のゴルファー固有の前傾角度などでレーザー反射光点の位置が異なる為、鏡の位置や角度は、視認が容易になるようその都度調整することが可能とする。
【００１４】
スイングが背骨の基本位置を軸とした理想的な回転運動となっている場合、スイングの始動から終了まで、レーザー反射光点は天井のほぼ一か所に留まることになる。  もし、レーザー反射光点が左右前後に揺動するのであれば、スイングの中心が背骨の基本位置の軸から外れていることになり、ゴルファーはスイングのどの瞬間にいかなる矯正が、どの程度必要か、直ちに認識することが出来るようにする。
【００１５】
レーザー発生器は、一般に使用する家庭用文具或いは工具程度の出力のものとし、背骨へ出来る限り密着させて装着するものとし、可能な限り小型とする。  また、ゴルファーが自分で容易に取り外しが出来るようにする為、身体装着用具は簡便なフックや面ファスナーを用いたものとする。
【発明の効果】
【００１６】
レーザー反射光点の動きは、背骨の動きをその通りに追随表示するものであり、ゴルファーは特殊な電子的測定機器を使用せずとも、床面に置かれた鏡面上に映ったレーザー反射光点の動きを視覚で観察することで、自分の背骨の動きをリアルタイムで正確に知ることが出来る。
【００１７】
レーザー反射光点は、背骨の全ての方向及び角度の絶対変位（但しレーザー光の軸方向の動きは除く）によって天井面をなんらの制約もなく移動する。  従って、特許文献１，２及び３では対応不可能であったスウェー或いは背骨全体の傾斜角度の変化が発生した場合でも、正確にその事実を表示する為、ゴルファーは直ちに必要な修正を行うことが出来る。
【００１８】
背骨の位置や角度変化、言い換えればレーザー発生器の位置や角度の変位が極めて小さい場合でも、レーザー反射光点の移動が、レーザー発生器から天井までの距離に比例して拡大表示される為、ゴルファーは極めて精緻なスイング調整が可能である。  ゴルファーはスイング中のどのタイミングで、背骨の基本位置からズレが生じているのか、例えば、ダウンスイングの時に上半身がどの程度前のめりになっているか、或いは右側に傾いているか等、リアルタイムに、且つレーザー反射光点の移動距離から定量的に認識することが出来る為、レーザー反射光点を本来あるべき位置に戻すように、身体の動きを矯正する練習を繰り返すことで、理想的なスイングを身体に覚え込ますことが可能である。
【００１９】
ゴルファーは人間であり、ゴルファー個々人の体型や体力また柔軟性に合わせた最適なスイングスタイルがあるべきとの前提に立つと、基本からのある程度の逸脱が生じることを許容しながら練習することが現実的である。その点、本発明では、ゴルファー各自が鏡面に見えるレーザー反射光点の動きの許容範囲を任意に設定すれば良く、機械的調整など面倒な作業も不要であるので、過度の心理的負担を感じずに練習することが可能である。  また改善度合いを明確に認識できるので、更なる練習意欲の向上につながる。  
【００２０】
背骨を軸としたスイングが出来ると背骨より前側に位置する上半身の全ての内臓器の重心が右から左に（右利きの場合）に回転することになり、結果的に右足から左足への体重移動がごく自然に出来ることになる。  ゴルフ界では、適切な体重移動で飛距離が伸びると喧伝されているが、本発明を使うことで、背骨を軸としたスイングと体重移動の相関関係を、明確に意識しながら練習することが出来る。
【００２１】
背骨を軸とした上半身の動かし方は、ゴルフに限らず野球、テニス或いは卓球など
打球動作を有するスポーツ全体に共通するものである。本発明は、軽量で簡便に使用できることから、他のスポーツでも、背骨を軸とする打球動作や上半身の動かし方の基礎的な練習に応用できる。
【発明を実施するための形態】
【００２２】
以下、図面に基づき、本発明の実施の形態について説明する。
本発明のスイング回転軸チェッカーは、身体装着用器材１−１と床設置鏡２−１の２点で構成されており、図１に示すように身体装着用器材１−１は、レーザー発生器１−２とY字状装着バンド１−３から構成されている。  Y字状装着バンドは、幅は２５ミリ〜３０ミリ程度の伸縮性のある素材で作られるが、背中側のバンドについては、レーザー発生器の位置が常に一定になるように非伸縮性の素材にすることも良い。  腹側２ヶ所、背中側１ヶ所でズボンのウエスト上縁部分に開閉式クリップ１−５で固定される。
【００２３】
図２は、床設置用鏡２−１を示し、練習時のレーザー反射光点の動きを考慮し、各辺１５センチ〜３０センチ程度の反射面積を有した一般的な汎用の鏡でよい。  鏡面は平面が感覚的に使いやすいが、僅かな凸面状でも良い。  素材は、使用時の安全性を考慮しガラスではなくプラスチック製が望ましい。  外形は長方形のほか、充分な反射面積を有すれば円形など任意の形状でよい。また、図２に示す鏡は、裏面が単なる平らな板状で、そのまま床に設置するものだが、３６０度方向に角度を調整できるユニバーサルジョイント式のスタンドの上に取り付ける形態も可能である。
【００２４】
図３−１は、レーザー発生器１−２を示す。レーザー光源１−２ａは円筒形で直径５ミリから８ミリ程度また長さは１０ミリから１５ミリ程度、電源用ボタン型電池２個１−２ｂに直列に配線され、ON/OFFスイッチ１−２ｃの操作でレーザー光を出射する。レーザー光は、価格を考慮し赤色レーザーとする。
図３−２は、レーザー発生器１−２の外観斜視図である。
【００２５】
図４は、ゴルファーがスイング回転軸チェッカー１−１を装着し使用する時の状態を示し、レーザー発生器１−２から出射されたレーザー光４−２によりレーザー反射光点４−３が出現し、その位置情報が経路４−４を通りゴルファーの眼に到達することを示す。  尚、図面に示す天井板４−１は、本発明の原理を示す為に仮の高さに描いたものであり、実際は、スイング練習に支障のない高さ以上とする。  また、天井の高さ、材質、形状などは、床設置鏡２−１でレーザー反射光点４−３が明瞭に見える限り、特段の制限はない。  
【００２６】
図５は、ゴルファーの背中側から見たスイング回転軸チェッカー１−１の装着状態を示す。
【００２７】
図６は、脊柱の側面及びレーザー発生器のおおよその装着位置の合理性を示すものである。  図中背中側に、第５番椎骨から第８番椎骨近傍の位置及び回転の軸方向を示している。
【００２８】
図７は、ゴルファーの理想的なスイングの各瞬間における背中の軸の傾きを示す。
【００２９】
図８及び図９は、図１に示す身体装着器具１−１以外の形態の可能性を示す。図８は、Y字状装着バンド１−３に開閉式クリップでなく、カラビナ型フック８−１を使用した場合の形態を示し、ズボンのベルトループ（ベルト通しとも呼ぶ）に引っ掛けてＹ字状装着バンドの端部を留めるものである。  図９は、Y字状装着バンドでなく、幅６０ミリ〜１００ミリ程度、長さ６５０ミリ〜８００ミリ程度の伸縮性素材の帯９−１の中央部に、一端にレーザー発生器１−２が装着された２００ミリ〜３００ミリ程度の長さを有する支持棒９−２を伸縮性素材の押さえ布９−３で装着した上で帯９−１を胸部に巻き付け、面ファスナー４−４ａ／ｂで固定する形態のものである。  
【００３０】
以上、本発明の実施形態を例示したが、本発明はこれらの実施形態に限定されるものでなく、発明の目的を逸脱しない限り任意の形態とすることができることは云うまでもない。
【図面の簡単な説明】
【００３１】
【図１】本発明品の構成品のうちの身体装着器具の正面図である。
【図２】本発明品の構成品のうちの床設置鏡の正面図である。
【図３−１】本発明品の構成品のうちのレーザー発生器の正面図である。
【図３−２】本発明の構成品のうちのレーザー発生器の外観斜視図である。
【図４】本発明品を装着して使用する時の状態を側面から示すもので、レーザー光の出射方向、天井面のレーザー反射光点、またレーザー反射光点からゴルファーの目に到達するまでの光の経路を参考として示している。
【図５】本発明品を装着して使用する時の状態を背面から示すもので、レーザー光の出射方向及び天井が参考として示されている。
【図６】人間の脊柱を側面から示したもので、胸椎の５番椎骨から８番椎骨に至る部分のおおよその位置及びレーザー発生器の回転軸を参考として示している。
【図７】ゴルファーが構えてからスイングを終了するまで、理想的なスイングをした場合に背骨の向きの変位が極めて小さくなることを参考として示している。
【図８】Y字状装着バンドにカラビナ型フックを使用した時のバンド端部の形態を示す。
【図９】胸部への巻き付け型装着帯にレーザー発生器付き支持棒を取り付けた場合の形態を示す。
【符号の説明】
【００３２】
１−１    身体装着器具
１−２    レーザー発生器
１−２ａ  レーザー光源
１−２ｂ  ボタン型電池
１−２ｃ  ＯＮ/ＯＦＦスイッチ
１−２ｄ  レーザー発生器ケース
１−３    Ｙ字状装着バンド
１−４    レーザー発生器取り付け台座
１−５    開閉式クリップ
２−１    床設置鏡
２−２    鏡面
２−３    鏡外枠
４−１    建屋天井構造物
４−２    レーザー光
４−３    レーザー反射光点
４−４    光学情報経路
８−１    カラビナ型フック
９−１    装着用帯
９−２    レーザー発生器付き支持棒
９−３    押さえ布
９−４ａ／ｂ  面ファスナー
【図１】
2019187730.tif 000003
【図２】
2019187730.tif 000004
【図３−１】
2019187730.tif 000005
【図３−２】
2019187730.tif 000006
【図４】
2019187730.tif 000007
【図５】
2019187730.tif 000008
【図６】
2019187730.tif 000009
【図７】
2019187730.tif 000010
【図８】
2019187730.tif 000011
【図９】
2019187730.tif 000012